(57)【特許請求の範囲】
【請求項１】
所定の用紙搬送経路に沿って用紙を搬送する用紙搬送装置であって、
前記用紙搬送経路の一部となる第１の搬送路が形成され、該第１の搬送路に沿って用紙を搬送する搬送手段と取っ手部とを備え、筐体内の第１の装着位置と筐体外の第１の引出し位置との間で平行移動可能に保持された用紙搬送手段と、
前記用紙搬送経路に用紙を供給可能に貯蔵し、前記第１の搬送路に連続する前記用紙搬送経路の一部となる第２の搬送路が形成され、前記筐体内の第２の装着位置と前記筐体外の第２の引出し位置との間で平行移動可能に保持された用紙貯蔵手段と、
前記用紙搬送手段を前記第１の装着位置にロックする第１のロック手段と、
前記用紙搬送手段と前記用紙貯蔵手段との連結及び連結解除が可能な連結手段と
を有し、
前記取っ手部の変位に応じて、前記第１のロック手段のロック状態が解除されると共に、前記連結手段による連結が実行されるように構成したことを特徴とする用紙搬送装置。
【請求項２】
更に、前記用紙貯蔵手段を前記第２の装着位置にロックする第２のロック手段を備え、前記取っ手部の変位に応じて該第２のロック手段のロック状態が解除されることを特徴とする請求項１記載の用紙搬送装置。
【請求項３】
前記用紙搬送手段には、第１と第２の位置間でスライド可能に保持されて前記第１の位置に向かう方向に付勢されたポストロック部材が配設され、前記第１のロック手段のロック解除と、前記連結手段による連結とが前記ポストロック部材の前記第１の位置から前記第２の位置へのスライド移動によって実行されることを特徴とする請求項１または２記載の用紙搬送装置。
【請求項４】
前記ポストロック部材には被係合部が形成され、前記用紙搬送手段には、該用紙搬送手段本体に対して変位可能に保持され、且つ係合部を有するフロントパネルが配設され、
前記ポストロック部材が前記第２の位置にあるとき、前記フロントパネルを押圧している間、前記係合部と前記被係合部とが係合し、前記ポストロック部材の前記第１の位置への移動を阻止するように構成したことを特徴とする請求項３記載の用紙搬送装置。
【請求項５】
前記連結手段は、前記用紙搬送手段に配設され、
前記取っ手部の変移に応じて前記用紙搬送手段の平行移動平面に対して垂直な軸回りに回動するリンクと、
一端が該リンクと変位自在に係合し、他端が前記移動平面と垂直な垂直壁に規制されて移動する摺動リンクと、
中央部が前期摺動リンクの他端と回動自在に係合して所定の回動方向に付勢されつつ前記垂直壁に沿って移動し、端部にフックが形成された係止レバーと
から成り、
前記係止レバーが所定量移動した段階で前記所定の回動方向に回動し、前記フックが前記用紙貯蔵手段に形成された係止部と係合するように構成したことを特徴とする請求項１記載の用紙搬送装置。
【請求項６】
前記用紙貯蔵手段が前記第２の装着位置から引き出された状態のとき、前記取っ手部の変位を阻止して前記用紙搬送手段を前記第１の装着位置に維持する引き出し防止手段を更に設けたことを特徴とする請求項１から５のいずれかに記載の用紙搬送装置。
【発明の詳細な説明】
【０００１】
【発明の属する技術分野】
本発明は、画像記録装置等に用いられる用紙搬送装置に関し、特に両面印刷機能を備え、両面印刷のための用紙搬送ユニットを有する用紙搬送装置に関する。
【０００２】
【従来の技術】
一般に、両面印刷機能を備えた画像記録装置は、記録用紙を積層した状態で貯蔵する用紙カセットと記録面を反転するための用紙搬送ユニットとを有し、記録用紙の用紙搬送経路中には、用紙カセットと用紙搬送ユニットと間で記録用紙が往来する用紙搬送経路が含まれる。
【０００３】
そして紙詰りが発生した場合に、従来の用紙搬送装置では、画像記録本体から用紙搬送ユニットと用紙カセットとを個別に外部に取り出し、それぞれの経路中に存在するジャム用紙を取り除いていた。
【０００４】
【発明が解決しようとする課題】
しかしながら、搬送中の記録用紙が、用紙カセットと用紙搬送ユニットとにまたがる用紙搬送経路中で紙詰りを起こした場合には、用紙搬送ユニットと用紙カセットとを個別に外部に取り出すと、内部でジャム用紙が破れて一部が残留してしまい、この残留用紙を除去するのに更に用紙搬送ユニットと用紙カセットとを交互に引出すなど、除去作業が煩雑で面倒となる問題があった。
【０００５】
本発明の目的は、両面印刷のための用紙搬送機構内で紙詰りが生じた場合、このジャム用紙を装置内に残すことなく、速やかに取除き作業を実現できる用紙搬送装置を提供することにある。
【０００６】
【課題を解決するための手段】
請求項１の用紙搬送装置は、所定の用紙搬送経路に沿って用紙を搬送する用紙搬送装置であって、前記用紙搬送経路の一部となる第１の搬送路が形成され、該第１の搬送路に沿って用紙を搬送する搬送手段と取っ手部とを備え、筐体内の第１の装着位置と筐体外の第１の引出し位置との間で平行移動可能に保持された用紙搬送手段と、前記用紙搬送経路に用紙を供給可能に貯蔵し、前記第１の搬送路に連続する前記用紙搬送経路の一部となる第２の搬送路が形成され、前記筐体内の第２の装着位置と前記筐体外の第２の引出し位置との間で平行移動可能に保持された用紙貯蔵手段と、前記用紙搬送手段を前記第１の装着位置にロックする第１のロック手段と、前記用紙搬送手段と前記用紙貯蔵手段との連結及び連結解除が可能な連結手段とを有し、前記取っ手部の変位に応じて、前記第１のロック手段のロック状態が解除されると共に、前記連結手段による連結が実行されることを特徴とする。
【０００７】
請求項２の用紙搬送装置は、請求項１記載の用紙搬送装置において、更に、前記用紙貯蔵手段を前記第２の装着位置にロックする第２のロック手段を備え、前記取っ手部の変位に応じて該第２のロック手段のロック状態が解除されることを特徴とする。
【０００８】
請求項３の用紙搬送装置は、請求項１または２記載の用紙搬送装置において、前記用紙搬送手段には、第１と第２の位置間でスライド可能に保持されて前記第１の位置に向かう方向に付勢されたポストロック部材が配設され、前記第１のロック手段のロック解除と、前記連結手段による連結とが前記ポストロック部材の前記第１の位置から前記第２の位置へのスライド移動によって実行されることを特徴とする。
【０００９】
請求項４の用紙搬送装置は、請求項３記載の用紙搬送装置において、前記ポストロック部材には被係合部が形成され、前記用紙搬送手段には、該用紙搬送手段本体に対して変位可能に保持され、且つ係合部を有するフロントパネルが配設され、前記ポストロック部材が前記第２の位置にあるとき、前記フロントパネルを押圧している間、前記係合部と前記被係合部とが係合し、前記ポストロック部材の前記第１の位置への移動を阻止するように構成したことを特徴とする。
【００１０】
請求項５の用紙搬送装置は、請求項１記載の用紙搬送装置において、前記連結手段が前記用紙搬送手段に配設され、前記取っ手部の変移に応じて前記用紙搬送手段の平行移動平面に対して垂直な軸回りに回動するリンクと、一端が該リンクと変位自在に係合し、他端が前記移動平面と垂直な垂直壁に規制されて移動する摺動リンクと、中央部が前期摺動リンクの他端と回動自在に係合して所定の回動方向に付勢されつつ前記垂直壁に沿って移動し、端部にフックが形成された係止レバー３２とから成り、前記係止レバーが所定量移動した段階で前記所定の回動方向に回動し、前記フックが前記用紙貯蔵手段に形成された係止部と係合するように構成されたことを特徴とする。
【００１１】
請求項６の用紙搬送装置は、請求項１から５のいずれかに記載の用紙搬送装置において、前記用紙貯蔵手段が前記第２の装着位置から引き出された状態のとき、前記取っ手部の変位を阻止して前記用紙搬送手段を前記第１の装着位置に維持する引き出し防止手段を更に設けたことを特徴とする。
【００１２】
【発明の実施の形態】
実施の形態１．
図１は、本発明による実施の形態１の用紙搬送装置を備えた画像記録装置１の要部構成を正面からみた概略構成図であり、図２は、この画像記録装置１本体から用紙搬送ユニット３及び用紙カセット５を、本体外に一部引出した状態を示す部分的な外形斜視図である。尚、図２に示す矢印Ａ方向からの視点が筐体としての画像記録装置１の正面に相当する。
【００１３】
画像記録装置１は、内部に記録用紙７を貯蔵した用紙貯蔵手段に相当する用紙カセット５が装着され、この用紙カセット５を装置内の装着位置と装置外の引出し位置との間で矢印Ａ，Ｂ方向（図１では、紙面の裏，表方向に相当する）に平行移動可能に保持する用紙カセット装着部４と、後述するように記録用紙７を用紙搬送経路６に沿って搬送する用紙搬送手段としての用紙搬送ユニット３が装着され、この用紙搬送ユニット３を同じく装置内の装着位置と装置外の引出し位置との間で矢印Ａ，Ｂ方向（図２）に平行移動可能に保持する用紙搬送ユニット装着部８と、記録用紙７を用紙搬送経路６に沿って搬送しつつ、この記録用紙７に画像記録を行なう記録機構部２とから構成されている。
【００１４】
以上の構成において、用紙カセット５に積層配置された記録用紙７の最上部の記録用紙は、搬送路６ａに沿って搬送され、記録機構部２内の搬送路６ｂを経る際に図示しない転写装置で画像が転写され、定着部２ａを経た後、経路設定ガイド２ｂで進路が選択される。
【００１５】
片面印刷時には、搬送路６ｃに送られてそのまま排出部２ｃから外部に排出される。一方両面印刷時には、定着部２ａを経た記録紙７は搬送路６ｄに送られ、用紙搬送ユニット３の正逆回転可能な搬送ローラ１３を経由して一旦用紙カセットの底部に形成された第２の搬送路に相当する退避経路６ｅに送られる。
【００１６】
その後、逆転駆動される搬送ローラ１３によって、用紙搬送ユニット３内の第１の搬送路に相当する搬送路６ｆに送られ、再び記録機構部２内の搬送路６ｂに送られて裏面に画像が転写された後、定着器２ａ、経路設定ガイド２ｂを経て、排出部２ｃから外部に排出される。
【００１７】
図３は、搬送ユニット３単体の外形斜視図である。この搬送ユニット３は、フレーム３ａと、このフレーム３ａに軸線１００を中心に回動自在に保持されたアッパーカバー３ｂとから構成されている。
【００１８】
フレーム３ａの用紙搬送部３ｇには、軸線１００の方向と直交する４つの軸線上に前記した正逆回転可能な搬送ローラ１３をはじめ、各々４つの搬送ローラ１０，１１，１２（計１６個）が回転自在に保持されている。更にこのフレーム３ａ内には、搬送手段として、１６個の各搬送ローラの他に、これらの各搬送ローラを所定のタイミングで同速度で同方向に回転駆動するための駆動モータ、モータ駆動回路、クラッチ、及びベルト等が内包されているものとする。
【００１９】
フレーム３ａの機構内包部３ｈには、後述する種々の機構が構築され、それらの機構の一部である一対のポストロック部材１６，１７が機構内包部３ｈの両端近傍に配設されている。
【００２０】
一方、矢印Ｃ方向からみたアッパーカバー３ｂの裏面には、フレーム３ａの合計１６個の搬送ローラ１０〜１３に対向する位置に、これに従動して記録紙７を搬送する１６個のプレッシャローラ９（図１）が回転自在に保持されている。
【００２１】
図４は、用紙搬送ユニット３の機構内包部３ｈ（図３）に形成された本発明による実施の形態１の一体化ロック機構の構成を示す部分構成図であり、用紙搬送ユニット３と用紙カセット５とが図１に示すように各々画像記録装置１本体の装着位置に装着され、用紙の搬送が可能な状態（以後、平常時の状態と称す）を示している。
【００２２】
但し同図において、用紙搬送ユニット３は、外形が省かれて（一部のみ２点鎖線で示す）内部の要部機構のみを部分的に示し、また画像記録装置１（図１）本体は、図１に示すように記録機構部２と用紙搬送ユニット装着部８との間に固定して配設されたアッパーフレーム１８のみを示してこれらの相対位置関係を明確にしている。
【００２３】
またこのアッパーフレーム１８は、実際には、一対のポストロック部材１６，１７がこの位置あるとき、これらの各上部突起１６ａ，１７ａがそれぞれアッパーフレーム１８の嵌入孔１８ａ，１８ｂに嵌入する高さにあるものとし、更に、このときの用紙搬送ユニット３の軸線１００（図３）は、矢印Ａ，Ｂ方向と直交している。
【００２４】
機構内包部３ｈ内において、スライド部材２１（一部が透視図となっている）は、その正面に面する取っ手部２１ａが、用紙搬送ユニット３のフロントパネル３ｃ（図２）に形成された開孔部３ｄから外部に臨む位置で、矢印Ａ，Ｂ方向にスライド可能に保持されている。シャフト２２は、軸線１００（図３）と平行に延在して回転自在に保持されている。これらスライド部材２１とシャフト２２とは、図示しない通常のラック・ピニオン機構によって連結され、スライド部材２１の矢印Ａ，Ｂ方向移動が、それぞれ矢印Ｄ，Ｅで示す回転方向へのシャフト２２の回転運動に変換される。
【００２５】
一方、前記した一対のポストロック部材１６，１７は、機構内包部３ｈ内において、矢印Ａ，Ｂ方向及び軸線１００方向とそれぞれ直交する矢印Ｆ、Ｇ方向にスライド自在に保持されている。シャフト２２の、これらのポストロック部材１６，１７に対向する位置にはそれぞれレバー２３，２４が固設され、各々のレバー２３，２４が、ポストロック部材１６，１７の各係合部１６ｂ，１７ｂと個々に係合し、シャフト２２の矢印Ｄ，Ｅ方向への回転運動を、ポストロック部材１６，１７の矢印Ｆ，Ｇ方向への直線運動に変換する。
【００２６】
また、シャフト２２は、その中央部において、後述する部材と係合する球状の係合ボール１９ａを先端に有する係合アーム１９を固設し、例えばレバー２３に懸けられるスプリング（図示せず）によって、矢印Ｄ方向へ付勢されている。
【００２７】
シャッタ２５は、機構内包部３ｈ内において、ポストロック部材１６の近傍に設定された矢印Ｆ，Ｇ方向と平行な回動軸線１０１回りに回動自在に保持され、矢印Ｊ方向に付勢されている。そして、後述するように、ポストロック部材１６が用紙カセット５のフロントカバー５ａの上面に形成された規制孔５ｂに嵌入して所定量矢印Ｇ方向に移動した段階で矢印Ｊ方向に回動し、そのシャッタアーム２５ａがポストロック部材１６の段部と係合し（図５（ａ）参照）、ポストロック部材１６の矢印Ｆ方向への移動を規制する。
【００２８】
以上の構成において、一体化ロック機構の一連の動作を説明する。
図１或いは図４に示すように用紙搬送ユニット３及び用紙カセット５とが画像記録装置１本体に装着されているとき、用紙搬送ユニット３は、第１の位置に在る一対のポストロック部材１６，１７の各上部突起１６ａ，１７ａが、それぞれアッパーフレーム１８の嵌入孔１８ａ，１８ｂに個別に嵌入し、矢印Ａ，Ｂ方向への移動が規制されている。尚、このとき用紙カセット５も、後述するロック手段によって同方向の移動が規制されている。
【００２９】
この状態で、操作者が図２に示す用紙搬送ユニット３のフロントパネル３ｃの開口部３ｄから手を挿入して取っ手部２１ａに指をかけ、スライド部材２１を手前、即ち矢印Ｂ方向に引くと、シャフト２２が矢印Ｅ方向に回転する。この回転によってレバー２３，２４が各々ポストロック部材１６，１７に作用し、これらを矢印Ｇ方向に移動する。この移動によって、ポストロック部材１６，１７の各上部突起１６ａ，１７ａが各々アッパーフレーム１８の嵌入孔１８ａ，１８ｂから外れ、移動規制（ロック）状態が解除される。
【００３０】
これらの解除と同時に、ポストロック部材１６，１７の各下端部１６ｂ，１７ｂが、各々用紙カセット５のフロントカバー５ａの上面に対応して形成された規制孔５ｂ，５ｃにそれぞれ嵌入する。ポストロック部材１６が同方向に所定量移動した第２の位置に至ると、シャッタ２５が矢印Ｊ方向に回動してそのシャッタアーム２５ａがポストロック部材１６の段部と係合し（図５（ａ）参照）、ポストロック部材１６の矢印Ｆ方向への移動を規制する。
【００３１】
これにより、各ポストロック部材１６，１７は、各々規制孔５ｂ，５ｃに嵌入した状態が維持されるため、用紙搬送ユニット３と用紙カセット５とは、矢印Ａ，Ｂ方向においてロックされ一体的な移動が可能となる。
【００３２】
また、後述するするように、このときのシャフト２２の矢印Ｅ方向への回転に伴なって、用紙カセット５の移動規制が解除されるため、操作者によって、更に、取っ手部２１ａを手前に引くことにより、用紙搬送ユニット３と用紙カセット５とを、図２に示すように一体的に画像記録装置１本体外に引出すことが可能となる。
【００３３】
尚、前記したスライド部材２１、シャフト２２、レバー２３，２４、ポストロック部材１６，１７、シャッタ２５、嵌入孔１８ａ，１８ｂ、及び規制孔５ｂ、５ｃは、少なくとも第１のロック手段又は連結手段のどちらかに相当する。
【００３４】
一方、図５は、画像記録装置１外に引出された用紙搬送ユニット３及び用紙カセット５を、再び画像記録装置１内の装着位置に装着する際のポストロック１６の動作、及びその動作を可能とする要部構成を示す動作説明図である。
【００３５】
同図（ａ）は、用紙搬送ユニット３及び用紙カセット５が画像記録装置１本体外に引出されたときの状態を示している。このとき、用紙搬送ユニット３の機構内包部３ｈにあって、シャーシ３ｋにスライド自在に保持されたポストロック１６は、その下端部１６ｂが用紙カセット５の規制孔５ｂに嵌入し、シャッターアーム２５ａによってこの状態にロックされている。フロントパネル３ｃは、シャーシ３ｋに対して僅かに矢印Ａ，Ｂ方向にスライド可能に保持され、圧縮されたコイルバネ４５によって、矢印Ｂ方向に付勢されている。
【００３６】
尚、ポストロック１７は、嵌入孔１８ｂ及び規制孔５ｃに拘わる動作が、ポストロック１６が嵌入孔１８ａ及び規制孔５ｂに拘わる動作と同様なため、これについての動作説明は省略する。
【００３７】
この状態で操作者が用紙搬送ユニット３のフロントパネル３ｃを押して、用紙搬送ユニット３及び用紙カセット５を矢印Ａ方向に移動させると、フロントパネル３ｃに形成された係合部としての突起３ｍがポストロック１６に形成された被係合部としての係止溝１６ｃ（図４参照）に嵌入し、ポストロック１６の矢印Ｆ，Ｇ方向の移動を禁止する。やがて、用紙搬送ユニット３及び用紙カセット５は、この状態で図５（ｂ）に示す装着位置に至る。
【００３８】
一方、シャッタ２５は、用紙搬送ユニット３が装着位置に至る段階で、その上部に形成された上部突起２５ｂが、画像記録装置１に固定されたアッパーフレーム１８の規制壁１８ｃに当接して矢印Ｋ方向（図４）に回動し、シャッターアーム２５ａとポストロック１６との係合が解除される。しかしながら、まだフロントパネル３ｃの突起３ｍがポストロック１６の係止溝１６ｃに嵌入したままなので、ポストロック１６は、矢印Ｆ方向への移動が規制された状態となっている。
【００３９】
操作者は、例えば下段の用紙カセット５が装着位置に至り、後述するロック状態となるのを確認した後、フロントパネル３ｃの押圧を解除する。これにより、フロントパネル３ｃの突起３ｍとポストロック１６の係止溝１６ｃとの係合が解除され、図５（ｃ）に示すように、ポストロック１６が矢印Ｆ方向に移動して上部突起１６ａがアッパーフレーム１８の嵌入孔１８ａに嵌入すると同時に、下端部１６ｂが用紙カセット５の規制孔５ｂから離脱する。
【００４０】
これにより、用紙搬送ユニット３は、この装着位置にロックされると共に、用紙カセット５とのロック状態が解除される。
【００４１】
以上のように、実施の形態１の用紙搬送装置によれば、用紙搬送ユニット３の取っ手部２１ａに手を掛けて引出すことにより、用紙搬送ユニット３と画像記録装置１本体とのロックが解除されると共に、用紙搬送ユニット３と用紙カセット５とが一体化され、これらを一体的に画像記録装置１本体から引出すことができる。このため、両者にまたがる用紙搬送経路中で紙詰りを起こした場合にも速やかにジャム紙を除去でき、内部でジャム用紙が破れて一部が残留してしまうような事態を防止できる。
【００４２】
また、操作者が用紙搬送ユニット３を押し、これと一体化した用紙カセット５と共に装着位置に装着させる場合、用紙カセットが装着位置にロックされてからポストロック部材を移動できるため、ポストロック部材が装着移動時の負荷がかかった無理な状態でスライド移動を開始するのを避けられる。
【００４３】
実施の形態２．
図６は、用紙搬送ユニット３の機構内包部３ｈ（図３）に形成された本発明による実施の形態２の連結ロック機構の構成を示す部分構成図であり、実施の形態１の図４の場合と同様に、用紙搬送ユニット３は、その外形の一部のみが２点鎖線で部分的に示され、画像記録装置１及び用紙カセット５との位置関係は図４と全く同じであるため、その説明を省略する。
【００４４】
また、本実施の形態で参照する図面において、前記した図面で示した構成要素と同じものには同一番号を付してその説明を省略する。
【００４５】
図６中、回動リンク３０は、用紙搬送ユニット３の機構内包部３ｈにあって矢印Ｆ，Ｇ方向と平行な回動軸線１０２回りに回動自在に保持され、その一端部には下方に向いた円柱溝部３０ａが形成され、この溝に係合アーム１９の先端に形成された係合ボール１９ａ（図４）を遊嵌した状態でこれと係合している。
【００４６】
回動リンク３０の他端は、摺動リンク３１の一端部と連結部３１ａで変位自在に連結し、摺動リンク３１の他端部は、係止レバー３２と、その中間部３２ａで互いに回動自在に係合している。これらの摺動リンク３１と係止レバー３２とは、図６中に図示されない機構内包部３ｈの内包部カバー３ｉによって動きが規制されている。
【００４７】
図７は、図６の矢印Ｌ方向からみた、摺動リンク３１と係止レバー３２とが内包部カバー３ｉによって規制されつつ変位する過程を示す動作図である。同図（ａ）は、用紙の搬送が可能な平常時の状態を示し、係止レバー３２の懸架部３２ｂと内包部カバー３ｉの内壁に形成された係止爪３ｊ間には、この状態で伸張状態となるコイルバネ３３（点線で示す）が掛けられている。
【００４８】
従って、リンク３０（図６）の回動に応じて連結部３１ａが矢印Ａ方向に移動すると、摺動リンク３１は、同図（ｂ）に示すように係止レバー３２をカバー３ｉの内壁に押し当てながらコイルバネ３３の偏倚力に抗して下方、即ち矢印Ｇ方向に押し下げる。この移動に伴なって、係止レバー３２の下方部に形成された鉤状のフック３２ｃは、用紙カセット５のフロントカバー５ａの上面に形成された開孔５ｉを経てその内部５ｄに入り込む。
【００４９】
更に、摺動リンク３１の連結部３１ａが矢印Ａ方向に移動し、同図（ｃ）に示すようにカバー３ｉの内壁で規制される終端部まで移動すると、係止レバー３２がコイルバネ３３の偏倚力により矢印Ｄ方向に回動し、そのフック３２ｃが用紙カセット５の開孔５ｂ近傍の係止部５ｃと係合する。この係合により、用紙搬送ユニット３と用紙カセット５とは、矢印Ｆ，Ｇ方向において一体的にロックされる。尚、図７に示すこれらの各部材は、連結手段に相当する。
【００５０】
一方、図８は、上記した連結ロック機構と連動する用紙カセットロック機構の要部構成を示す部分構成図で、用紙の搬送が可能な平常時の状態を示している。同図中、スライド部材２１、リンク３０、摺動リンク３１、及び係止レバー３２は、共に前記したように用紙搬送ユニット３に属する部材である。
【００５１】
一方、ロック解除部材４０は、図６に示す用紙カセット５のフロントカバー５ａの内部５ｄ（図７）に配置され、用紙カセット５の引出し方向である矢印Ａ，Ｂ方向と直交する回動軸線１０３上に配置される一対の円柱突起４０ａ，４０ｂによって、同軸線１０３回りに回動自在に保持されている。尚、ロック解除部材４０の取っ手部４０ｃは、図６に示すように用紙カセット５のフロントパネル５ｅに形成された開口部５ｆから外部に臨むように配置される。
【００５２】
連結シャフト４１は、ロック解除部材４０と同様にフロントカバー５ａの内部にあって、回動軸線１０３と平行な回動軸線１０５回りに回動自在に保持され、その両端部には一体的に形成された一対の連結ギア４１ａ，４１ｂを有する。この内歯合ギア４１ａは、ロック解除部材４０と一体的に形成されて回動軸線１０３回りに回動する連結ギア４０ｄと歯合している。
【００５３】
一方、スライド部材４２は、ロック解除部材４０と同様にフロントカバー５ａの内部にあって、矢印Ａ，Ｂ方向と平行にスライド移動可能に保持され、連結シャフト４１の連結ギア４１ｂと歯合するラックギア４２ａが形成されている。
【００５４】
回動板４３は、画像記録装置１（図２）本体に矢印Ｆ，Ｇ方向に平行な回動軸線１０４回りに回動自在に保持され、その一部には一対の傾斜面４３ａ，４３ｂを有する傾斜突起部４３ｃが形成されている。この傾斜突起部４３ｃは、前記したスライド部材４２に形成されて、同じく一対の傾斜面を有して凹部状に形成された係合溝４２ｂに入り込んでいる。
【００５５】
用紙カセット５本体と一体的に形成された係止部材５ｇは、回動板４３の傾斜突起部４３ｃの下方に形成された規制部４３ｄと係合し、矢印Ｂ方向への移動が規制され、これにより用紙カセット５が画像記録装置１内の装着位置にロックされた状態となっている。
【００５６】
尚、ロック解除部材４０は図示しない付勢手段によって矢印Ｅ方向に付勢され、また回動板４３は同じく図示しない付勢手段によって矢印Ｋ方向に付勢されているものとする。
【００５７】
以上の構成において、図６、図７に示す連結ロック機構、及び図８に示す用紙カセットロック機構の一連の動作について説明する。
先ず、各機構が各図に示す用紙の搬送が可能な平常時の状態にあるとき、操作者がスライド部材２１の取っ手部２１ａを矢印Ｂ方向に引くと、シャフト２２が矢印Ｅ方向に回転する。この回転に伴なって、前記したようにポストロック部材１６，１７が各々矢印Ｇ方向に移動し、各上部突起１６ａ，１７ａが各々アッパーフレーム１８の嵌入孔１８ａ，１８ｂから外れて移動規制状態が解除される。これらの解除と同時にポストロック部材１６，１７の各下端部１６ｂ，１７ｂが、各々用紙カセット５のフロントカバー５ａの上面に対応して形成された規制孔５ｂ，５ｃにそれぞれ嵌入し、更にシャッタ２５の回動によりこの状態でロックされる。
【００５８】
一方、シャフト２２が矢印Ｅ方向に回転すると、リンク３０が回動軸線１０２回りに矢印Ｊ方向に回動し、摺動リンク３１の連結部３１ａを矢印Ａ方向に移動する。この移動に伴なって、前記したように係止レバー３２が矢印Ｇ方向に移動し、やがてそのフック３２ｃが用紙カセットの係止部５ｈ（図７（ｃ））に係合し、用紙搬送ユニット３と用紙カセット５とは、矢印Ｆ，Ｇ方向において一体的にロックされる。
【００５９】
一方、係止レバー３２が矢印Ｇ方向に移動すると、図８に示すようにその先端部３２ｄがロック解除部材４０に形成された当接面４０ｅに当接し、ロック解除部材４０を回動軸線１０３回りに矢印Ｄ方向に回動する。このロック解除部材４０の回動によって、連結シャフト４１は回動軸線１０５回りに矢印Ｅ方向に回動し、スライド部材４２は、矢印Ｂ方向にスライド移動する。
【００６０】
このスライド部材４２の移動に伴なって、回動板４３は、スライド部材４２の係合溝４２ｂに入り込んでいるその傾斜突起部４３が係合溝４２ｂの稜線部４２ｃに押され、回動軸線１０４回りに矢印Ｊ方向に回動する。この回動により、用紙カセット５に形成された係止部材５ｇと係合する規制部４３ｄが移動して係合状態が解除され、用紙カセット５の矢印Ｂ方向への移動が可能となる。
【００６１】
従って、操作者によって、更に取っ手部２１ａを手前に引くことによって、用紙搬送ユニット３と用紙カセット５とは、矢印Ａ，Ｂ方向、及び矢印Ｆ，Ｇ方向において各々ロックされた状態で引出される。
【００６２】
一方、画像記録装置１本体外に引出された用紙搬送ユニット３及び用紙カセット５を、再び画像記録装置１本体に装着する過程における動作について説明する。  このとき、図６及び図７に示す連結ロック機構では、図７（ｄ）に示すように、用紙搬送ユニット３が装着位置に至る段階で、機構内包部３ｈ（図６）に回動自在に保持される解除レバー４５の当接端部４５ａが、画像記録装置１本体に固定されたアッパーフレーム１８に配設された係合突起１８ｄに当接して矢印Ｅ方向に回動する。この回動により、解除レバー４５の押圧端部４５ｂが係止レバー３２の所定箇所を押圧してこれを矢印Ｅ方向に回動し、フック３２ｃと係止部５ｈとの係合を解除する。これにより、用紙搬送ユニット３と用紙カセット５とは、装着位置に至る段階で相互のロック状態が解除される。尚、図８に示すこれらの各部材は、取っ手部２１ａを除いて第２のロック手段に相当する。
【００６３】
また、図８に示す用紙カセットロック機構では、用紙カセット５が引出された位置から、同図に示す装着位置に向かって矢印Ａ方向に移動する場合、係止部材５ｇが、回動板４３の曲面部４３ｅを押しのけて回動板４３を矢印Ｊ方向に回動しながら移動する。そして装着位置に至った段階で回動板４３が矢印Ｋ方向に回動してその傾斜突起部４３ｃが再びスライド部材４２の係合溝４２ｂに入り込み、規制部４３ｄと係止部材５ｇとが係合状態となる。これにより、用紙カセット５は、再び装着位置にロックされる。
【００６４】
次に、用紙カセット５が装着されていないとき、用紙搬送ユニット３が引出せないようにする引出し防止機構について説明する。
【００６５】
図９は、この引出し防止機構の構成を示すもので、図６において、スライド部材２１の近傍を矢印Ａ方向からみた要部構成図である。同図（ａ）において、スライド部材２１は、前記したように機構内包部３ｈ（図６）のシャーシ３ｋにスライド自在保持されている。尚、図９の図面の表裏方向が図６における矢印Ｂ，Ａ方向に相当する。
【００６６】
このシャーシ３ｋの底板３ｐには、規制レバー５０が矢印Ａ，Ｂ方向の回動軸線（図示せず）回りに回動自在に保持され、矢印Ｎ方向に付勢されている。この規制レバー５０には、スライド部材２１の底部から下方に突出する下部突起２１ｂと係合可能な規制端面５０ａと、シャーシ３ｋの底板３ｐに形成された開孔３ｑから下方に突出可能な検知ピン５０ｂとが配設されている。
【００６７】
図９（ａ）は、例えば、操作者によって、図６に示す用紙カセット５の開孔部５ｆから手を挿入して、図８に示すロック解除部材４０の取っ手部４０ｃを引くことによってロック解除部材４０を矢印Ｄ方向に回動し、前記したように用紙カセット５のロックを解除して、これを単独で引出した状態を示している。
【００６８】
従って、同図では、カセット装着部４が空状態となっており、規制レバー５０が最大に回動して規制端面５０ａが矢印Ａ方向からみてスライド部材２１の下部突起２１ｂと重なる位置に移動する。このとき、スライド部材２１は、矢印Ｂ方向への移動が規制されるため、用紙搬送ユニット３を単体で引出すことは不可能となる。
【００６９】
一方、図９（ｂ）は、カセット装着部４に用紙カセット５が存在する場合を示す。このとき、規制レバー５０は、その検知ピン５０ｂが用紙カセット５に当接して回動量が規制され、規制端面５０ａが矢印Ａ方向からみてスライド部材２１の下部突起２１ｂと重ならない位置で止まる。従って、スライド部材２１は、矢印Ｂ方向への移動が可能となり、用紙搬送ユニット３を引出すことが出来る。尚、規制レバー５０及びスライド部材２０の下部突起２１ｂは、引き出し防止手段に相当する。
【００７０】
以上のように、実施の形態２の用紙搬送装置によれば、用紙搬送ユニット３の取っ手部２１ａに手を掛けて引出すことにより、用紙カセット５と画像記録装置１本体とのロックが解除されると共に、用紙搬送ユニット３と用紙カセット５とを矢印時Ｆ，Ｇ方向においても一体とした状態で画像記録装置１本体から引出すことができるので、その移動がより円滑に行なえる。
【００７１】
また、用紙カセット５が単体で引出されている場合には、用紙搬送ユニット３が引出せない構成になっているので、不要な動作、及び誤動作を防げる。
【００７２】
【発明の効果】
請求項１の用紙搬送装置によれば、用紙搬送ユニットと用紙カセットとを一体的に画像記録装置本体から引出せるため、両者にまたがる用紙搬送経路中で紙詰りを起こした場合にも速やかにジャム紙を除去でき、内部でジャム用紙が破れて一部が残留する事態を防止できる。また、これらを引出す行為と、一体化する動作が連動しておこなわれるため、操作的な煩わしさが増えることはない。
【００７３】
請求項２の用紙搬送装置によれば、一体化した用紙搬送ユニット及び用紙カセットを引出す行為に連動して、これらを装着位置に規制するロック状態が解除されるため、平常時の安定した用紙搬送と、引出し動作時の操作の容易性とを兼ね備えることが出来る。
【００７４】
請求項３の用紙搬送装置によれば、用紙搬送ユニットの装着位置でのロック解除及び用紙搬送ユニットと用紙カセットとの一体化、そしてその逆の用紙搬送ユニットの装着位置でのロック及び用紙搬送ユニットと用紙カセットとの別体化がポストロック部材のスライド移動によって可能となるため、簡単な構成で動作の確実な用紙搬送装置が提供できる。
【００７５】
請求項４の用紙搬送装置によれば、ポストロック部材が装着移動時のせん断応力負荷がかかった無理な状態でスライド移動を開始するのを避け、負荷のない好ましい状態でこれをスライド移動させることで、確実なロック動作を実施させることができる。
【００７６】
請求項５の用紙搬送装置によれば、用紙搬送ユニットと用紙カセットとを平行移動平面と垂直な方向においても一体化することができ、それらの一体的な移動をより円滑に行なえる。
【００７７】
請求項６の用紙搬送装置によれば、用紙カセットが単体で引出されている場合には、用紙搬送ユニットが引出せない構成になっているので、不要な動作、及び誤動作を防げる。
【図面の簡単な説明】
【図１】本発明による実施の形態１の用紙搬送装置を備えた画像記録装置１の要部構成を正面からみた概略構成図である。
【図２】画像記録装置本体から用紙搬送ユニット及び用紙カセットを、本体外に一部引出した状態を示す部分的な外形斜視図である。
【図３】搬送ユニット単体の外形斜視図である。
【図４】本発明による実施の形態１の一体化ロック機構の構成を示す部分構成図である。
【図５】用紙搬送ユニット３及び用紙カセット５を、再び画像記録装置１本体に装着する際のポストロック１６の動作、及びその動作を可能とする要部構成を示す動作説明図である。
【図６】本発明による実施の形態２の連結ロック機構の構成を示す部分構成図である。
【図７】摺動リンク３１と係止レバー３２とが内包部カバー３ｉによって規制されつつ変位する過程を示す動作図である。
【図８】用紙カセットロック機構の要部構成を示す部分構成図である。
【図９】引出し防止機構の構成を示し、図６において、スライド部材２１の近傍を矢印Ａ方向からみた要部構成図である。
【符号の説明】
１  画像記録装置、  ２  記録機構部、  ２ａ  定着部、  ２ｂ  経路設定ガイド、  ２ｃ  排出部、  ３  用紙搬送ユニット、  ３ａ  フレーム、  ３ｂ  アッパーカバー、  ３ｃ  フロントパネル、  ３ｄ  開口部、  ３ｇ  用紙搬送部、  ３ｈ  機構内包部、  ３ｉ  内包部カバー、  ３ｊ  係止爪、  ３ｋ  シャーシ、  ３ｍ  突起、  ３ｐ  底板、  ３ｑ  開孔、  ４  用紙カセット装着部、  ５  用紙カセット、  ５ａ  フロントカバー、  ５ｂ，５ｃ  規制孔、  ５ｄ  内部、  ５ｅ  フロントパネル、  ５ｆ  開口部、  ５ｇ  係止部材、  ５ｈ  係止部、  ５ｉ  開孔、  ６  用紙搬送経路、  ７  記録用紙、  ８  用紙搬送ユニット装着部、  ９  プレッシャローラ、  １０〜１３  搬送ローラ、１６  ポストロック部材、  １６ａ  上部突起、  １６ｂ  下端部、  １６ｃ係止溝、  １７  ポストロック部材、  １７ａ  上部突起、  １７ｂ  下端部、  １７ｃ  係止溝、  １８  アッパーフレーム、  １８ａ，１８ｂ  嵌入孔、１８ｃ  規制壁、  １８ｄ  係合突起、  １９  係合アーム、  １９ａ  係合ボール、  ２１  スライド部材、  ２１ａ  取っ手部、  ２１ｂ  下部突起、  ２２  シャフト、  ２３，２４  レバー、  ２５  シャッタ、  ２５ａ  シャッタアーム、  ２５ｂ  上部突起、  ３０  リンク、  ３０ａ  円柱溝部、  ３１摺動リンク、  ３１ａ  連結部、  ３２  係止レバー、  ３２ａ  中間部、  ３２ｂ  懸架部、  ３２ｃ  フック、  ３２ｄ  先端部、  ３３  コイルバネ、４０  ロック解除部材、  ４０ａ，４０ｂ  円柱突起、  ４０ｃ  取っ手部、４０ｄ  連結ギア、  ４０ｅ  当接面、  ４１  連結シャフト、  ４１ａ，４１ｂ  連結ギア、  ４２  スライド部材、  ４２ａ  ラックギア、  ４２ｂ  係合溝、  ４２ｃ  稜線部、  ４３  回動板、  ４３ａ，４３ｂ  傾斜面、  ４３ｃ  傾斜突起部、  ４３ｄ  規制部、  ４３ｅ  曲面部、  ４５  解除レバー、４５ａ  当接端部、  ４５ｂ  押圧端部、  ５０  規制レバー、  ５０ａ  規制端面、  ５０ｂ  検知ピン。
【図１】
0003602053.tif 000002
【図２】
0003602053.tif 000003
【図３】
0003602053.tif 000004
【図４】
0003602053.tif 000005
【図５】
0003602053.tif 000006
【図６】
0003602053.tif 000007
【図７】
0003602053.tif 000008
【図８】
0003602053.tif 000009
【図９】
0003602053.tif 000010